(57)【要約】【課題】製造工程及び管理の簡略化が可能で、利便性の高い洗面化粧台を提供すること。【解決手段】一対の側板３３を有し、一対の側板３３の一方が手前側、他方が奥側に配置されるように、洗面台２の側方に装着されるサイドキャビネット３であって、洗面台２の両側方に装着可能であり、洗面台２側を前面部とし洗面台２側の反対側を背面部とした場合に、背面部の少なくとも一部には前面部と背面部との間を貫通する開口部３７が形成される、サイドキャビネット３である。【選択図】図１
2020036752.tif 000002
【特許請求の範囲】
【請求項１】
一対の側板を有し、前記一対の側板の一方が手前側、他方が奥側に配置されるように、洗面台の側方に装着されるサイドキャビネットであって、
前記洗面台の両側方に装着可能であり、前記洗面台側を前面部とし前記洗面台側の反対側を背面部とした場合に、前記背面部の少なくとも一部には前記前面部と前記背面部との間を貫通する開口部が形成される、サイドキャビネット。
【請求項２】
複数の棚板を有し、
前記複数の棚板により仕切られて形成される複数の棚部のうち最下部に位置する棚部の背面部には、背板が設けられている、請求項１に記載のサイドキャビネット。
【請求項３】
前記一対の側板には、締結具が挿通される貫通孔がそれぞれ形成され、
前記一対の側板のうち奥側に配置される側板は、前記貫通孔を介して前記締結具により、前記洗面台が設置される壁面に固定される、請求項１から２までの何れか１つに記載のサイドキャビネット。
【請求項４】
前記サイドキャビネットは、前記一対の側板のうち手前側に配置される側板を覆うように取り付けられるカバー側板を有する、請求項３に記載のサイドキャビネット。
【請求項５】
前記カバー側板は、前記貫通孔に挿通される締結具により前記一対の側板のうち手前側に配置される側板に固定される、請求項４に記載のサイドキャビネット。
【請求項６】
前記洗面台が設置される床面から浮くように装着される、請求項１から５までの何れか１つに記載のサイドキャビネット。
【請求項７】
請求項６に記載のサイドキャビネットを備える洗面化粧台であって、
前記洗面台は、側部に固定され該側部から延出して前記サイドキャビネットの下端部を支持する支持部材を備える、洗面化粧台。
【請求項８】
請求項７に記載の洗面化粧台の施工方法であって、
前記洗面台を設置する洗面台設置工程と、
前記支持部材上に、前記サイドキャビネットを載置するサイドキャビネット載置工程と、
前記サイドキャビネットを前記支持部材上に載置した状態で、前記洗面台が設置される壁面に、前記サイドキャビネットの一対の側板のうち奥側に配置される側板を締結具で固定することにより、前記洗面台の側部に前記サイドキャビネットを装着するサイドキャビネット装着工程と、を有する、洗面化粧台の施工方法。
【発明の詳細な説明】
【技術分野】
【０００１】
本発明は、サイドキャビネットに関する。
【背景技術】
【０００２】
従来、洗面器及び下キャビネットを有する洗面台に、サイドキャビネットが取り付けられた洗面化粧台が知られている。サイドキャビネットは、洗面台と一体的な外観を有するように設計され、しばしば洗濯機の近傍に配置される。サイドキャビネットは、洗濯機と洗面台の間で奥側から手前方向に延びるように取り付けられて、洗面台を使用する際に用いる小物等が収容される（例えば、特許文献１参照）。
【先行技術文献】
【特許文献】
【０００３】
【特許文献１】特開２０１３−１１２９８７号公報
【発明の概要】
【発明が解決しようとする課題】
【０００４】
ところで、洗面化粧台が洗濯機と隣接して配置される場合に、洗面化粧台を設置する住居の間取りによって、洗濯機が洗面台の幅方向の一方側に配置されるか、他方側に配置されるかは異なっている。このため、洗面化粧台は、サイドキャビネットが洗面台の幅方向の一方側に配置されたものと、他方側に配置されたものと両方のパターンで製造され、別の型番が付与されて管理されていた。しかしながら、これらの洗面化粧台において、サイドキャビネットの配置以外の構成要素は同じであることから、製造工程及び管理を簡略化できる洗面化粧台が望まれていた。
【課題を解決するための手段】
【０００５】
（１）  本発明は、一対の側板（例えば、後述の側板３３）を有し、前記一対の側板の一方が手前側、他方が奥側に配置されるように、洗面台（例えば、後述の洗面台２）の側方に装着されるサイドキャビネット（例えば、後述のサイドキャビネット３）であって、前記洗面台の両側方に装着可能であり、前記洗面台側を前面部とし前記洗面台側の反対側を背面部とした場合に、前記背面部の少なくとも一部には前記前面部と前記背面部との間を貫通する開口部（例えば、後述の開口部３７）が形成される、サイドキャビネットに関する。
【０００６】
（２）  複数の棚板（例えば、後述の複数の棚板３５）を有し、前記複数の棚板により仕切られて形成される複数の棚部（例えば、後述の複数の棚部３５０）のうち最下部に位置する棚部の背面部には、背板（例えば、後述の一対の背板３４）が設けられていることが好ましい。
【０００７】
（３）  前記一対の側板には、締結具（例えば、後述の一対のネジ３３３）が挿通される貫通孔（例えば、後述の一対のネジ孔３３２）がそれぞれ形成され、前記一対の側板のうち奥側に配置される側板は、前記貫通孔を介して前記締結具により、前記洗面台が設置される壁面に固定されることが好ましい。
【０００８】
（４）  前記サイドキャビネットは、前記一対の側板のうち手前側に配置される側板を覆うように取り付けられるカバー側板（例えば、後述のカバー側板３６）を有することが好ましい。
【０００９】
（５）  前記カバー側板は、前記貫通孔に挿通される締結具により前記一対の側板のうち手前側に配置される側板に固定されることが好ましい。
【００１０】
（６）  前記洗面台が設置される床面から浮くように装着されることが好ましい。
【００１１】
（７）  （６）に記載のサイドキャビネットを備える洗面化粧台（例えば、後述の洗面化粧台１）であって、前記洗面台は、側部に固定され該側部から延出して前記サイドキャビネットの下端部を支持する支持部材（例えば、後述の支持部材４）を備えることが好ましい。
【００１２】
（８）  （７）に記載の洗面化粧台の施工方法であって、前記洗面台を設置する洗面台設置工程（例えば、後述の洗面台設置工程Ｓ１）と、前記支持部材上に、前記サイドキャビネットを載置するサイドキャビネット載置工程（例えば、後述のサイドキャビネット載置工程Ｓ２）と、前記サイドキャビネットを前記支持部材上に載置した状態で、前記洗面台が設置される壁面に、前記サイドキャビネットの一対の側板のうち奥側に配置される側板を締結具で固定することにより、前記洗面台の側部に前記サイドキャビネットを装着するサイドキャビネット装着工程（例えば、後述のサイドキャビネット装着工程Ｓ３）と、を有する、洗面化粧台の施工方法が好ましい。
【発明の効果】
【００１３】
本発明によれば、製造工程及び管理の簡略化が可能で、利便性の高い洗面化粧台を提供することができる。
【図面の簡単な説明】
【００１４】
【図１】本実施形態の洗面化粧台を示す正面図であり、（ａ）図は、サイドキャビネットを洗面台の一方側に配置した洗面化粧台を示し、（ｂ）図は、サイドキャビネットを洗面台の他方側に配置した洗面化粧台を示す。
【図２Ａ】本実施形態の洗面化粧台の斜視図であり、サイドキャビネットの前面側から見た図である。
【図２Ｂ】本実施形態の洗面化粧台の斜視図であり、サイドキャビネットの背面を下方から見た図である。
【図３】本実施形態のサイドキャビネットの斜視図である。
【図４】本実施形態の支持部材とその近傍の構成を示す模式図である。
【発明を実施するための形態】
【００１５】
以下、本発明の実施形態について図面を参照しながら詳細に説明する。図１（ａ）は、本実施形態のサイドキャビネット３を洗面台２の一方側に配置した洗面化粧台１を示す正面図であり、図１（ｂ）は、サイドキャビネット３を洗面台２の他方側に配置した洗面化粧台１を示す正面図である。
なお、本明細書において、洗面化粧台１の使用時に使用者が位置する方を前方、前方に対向する奥側を後方と呼び、前方から後方に向かった状態で左右方向を規定する。
【００１６】
図１（ａ）及び図１（ｂ）に示すように、洗面化粧台１は、洗面台２と、サイドキャビネット３と、を有し、洗濯機６の近傍に配置されている。洗濯機６は、洗濯機パン６１の上に洗濯機本体６２が設置されて構成されている。洗濯機パン６１は、洗濯機本体６２から排出される洗濯排水等を受け止める排水トレーである。
【００１７】
図２Ａは、サイドキャビネット３の前面側から、図２Ｂは、サイドキャビネットの背面を下方から見た化粧洗面台の斜視図である。
図２Ａに示すように、洗面台２は、洗面器２１と、洗面器２１の上方に配置されるミラーキャビネット２２と、洗面器２１の下方に配置される下キャビネット２３と、支持部材４と、を有する。
【００１８】
洗面器２１は、洗面ボウル部２１１と、排水口２１２と、後方壁部２１３と、混合水栓２１４と、を有する。
洗面ボウル部２１１は、湯水を貯水及び排水可能な凹部であり、上部が開口している。洗面ボウル部２１１は、略長方形の開口を有し、手前側と奥側で左右方向に延びる縁が長縁２１１ａで、幅方向の両端で奥行方向に延びる縁が短縁２１１ｂとなっている。
排水口２１２は、洗面ボウル部２１１の凹部の底面に配置され、湯水を排出する排水管に接続されている。
後方壁部２１３は、洗面ボウル部２１１の後方側の側面が上方に向かって延出する平坦な部分である。
混合水栓２１４は、湯水を混合して温度及び水量を調節し、洗面ボウル部２１１へ吐水する。
【００１９】
ミラーキャビネット２２は、洗面器２１の上部に配置され、壁面に固定される。ミラーキャビネット２２は、ミラー部２２０と、照明２２３と、小物入れ２２５と、コンセント及び電源スイッチ２２４とを有する。
ミラー部２２０は、前方が開口した箱状の収納部２２１及び収納部の開口を開閉する鏡が取り付けられた前扉２２２で構成される。
照明２２３は、ミラー部２２０の側部でミラーキャビネット２２の上端側に配置されるＬＥＤ電球で構成される。
小物入れ２２５は、浅いトレーや深型の容器等、それぞれ形状が異なる上部が開口した容器が、ミラー部２２０の側部で上下方向に間隔を開けて配置される。
コンセント及び電源スイッチ２２４は、複数の小物入れ２２５の間に配置される。
【００２０】
下キャビネット２３は、洗面器２１を支持するとともに、洗剤や掃除用具等の洗面化粧台１に関連する物品を収納する棚である。下キャビネット２３は、前扉２３１、背面部２３２、及び一対のキャビネット側面部２３３により内部に収納空間が形成されている。
【００２１】
前扉２３１は、洗面器２１の手前側の縁の下方に位置する。前扉２３１は、一対の板状の扉が幅方向の外側でヒンジにより回動可能に取り付けられる板材であり、観音開き扉である。
背面部２３２は、前扉２３１に対向する面である。背面部２３２は、建物の壁により構成されてもよい。
一対のキャビネット側面部２３３は、背面部２３２と前扉２３１とを幅方向外側で連結する側面に配置される板体である。
【００２２】
図２Ａに示すように、洗面器２１の側方に隣接して、サイドキャビネット３が配置されている。図１（ａ）及び図１（ｂ）に示すように、サイドキャビネット３は、洗濯機本体６２との間に所定の隙間を空けて離れているが、洗濯機本体６２が載置された洗濯機パン６１の周縁の上方に配置されている。すなわち、サイドキャビネット３の洗濯機６側の端部は、洗濯機パン６１の端部よりも洗濯機６側に位置しており、サイドキャビネット３が仮に床面まで延びていたならば、洗濯機パン６１の端部と干渉していたであろう位置にある。
なお、図２Ｂに示すように、サイドキャビネット３の下方で、洗面台２のキャビネット側面部２３３の外側には、フック型の金具２３５が固定されている。また、この金具２３５に取り付けられて、サイドキャビネット３の下で洗濯機６との間の空いた空間の下方に収納籠２３４が配置されている。
【００２３】
図３は、サイドキャビネット３の展開図である。図２（ａ）〜図３に示すように、サイドキャビネット３は、洗面台２の側方に装着される。サイドキャビネット３の洗面台２側を前面部とし、洗面台２側の反対側（洗濯機６側）を背面部とした場合に、サイドキャビネット３は、底板３１と、天板３２と、一対の側板３３と、背板３４と、複数の棚板３５とを有し、これらにより収納部３０が構成される。また、サイドキャビネット３は、洗面化粧台１の手前側の側板３３に取り付けられるカバー側板３６と、を有する。
【００２４】
収納部３０は、上下方向に長い略長方形の棚であり、洗面器２１側に向かって開口する複数の棚部３５０を有する。収納部３０における背面部の少なくとも一部に、前面部及び背面部の間を貫通する開口部３７が形成されている。収納部３０は、開口部３７から前面側からでも背面側からでもアクセス可能に形成されている。
【００２５】
底板３１は、洗面ボウル部２１１の洗濯機６側の短縁２１１ｂに沿って配置される。底板３１は、洗面化粧台１が設置される床面から離れた位置に配置されている。底板３１は具体的には、洗面ボウル部２１１の短縁２１１ｂよりもやや上方に配置され、短縁２１１ｂと底板３１との間には底部前板３１１が起立している。
【００２６】
天板３２は、底板３１と奥行方向の大きさが同じで底板３１に対向するサイドキャビネット３の上端側に配置されている。
【００２７】
一対の側板３３は、側板３３の一方が洗面台２の手前側、他方が洗面台２の奥側に配置され、底板３１及び天板３２を、洗面化粧台１の奥側及び手前側で上下方向に繋ぐ板材である。図３に示すように、側板３３の表面には、ネジ３３３が挿通される貫通孔としてのネジ孔３３２と、後述するダボ３６１が挿入される位置合わせ孔３３１と、が形成されている。位置合わせ孔３３１は所定深さを有しており、貫通孔ではない。ネジ孔３３２及び位置合わせ孔３３１は、一対の側板３３の両方に形成されている。一対の側板３３のうち、奥側に配置される側板３３は、ネジ孔３３２を介してネジ３３３により洗面化粧台１が設置される洗面室内の壁面に固定される。
【００２８】
複数の棚板３５は、一対の側板３３の間に渡される複数の長方形の板材であり、収納部３０を上下方向に区切っている。図３に示すように、複数の棚板３５として、下から順に第１棚板３５１、第２棚板３５２、第３棚板３５３が配置されている。これらの複数の棚板３５により、収納部３０が仕切られて複数の棚部３５０が形成されている。
【００２９】
背板３４は、収納部３０の背面側に配置され、天板３２から底板３１側に向かって延びる平板な板材である。背板３４は、複数の棚部３５０のうち最下部に位置する棚部３５０の背面部、すなわち底板３１及び第１棚板３５１との間に設けられている。また、背板３４は、第２棚板３５２から第３棚板３５３、第３棚板３５３から天板３２との間に設けられている。なお、第１棚板３５１から第２棚板３５２の間には、背板３４は設けられておらず、開口部３７となっている。
【００３０】
カバー側板３６は、図３に示すように、一対の側板３３のうちの洗面化粧台１の手前側の側板３３に取り付けられる化粧板である。カバー側板３６は、側板３３を覆う長尺の板である。カバー側板３６の側板３３に面する内面には、側板３３に向かって突出するダボ３６１と、側板３３のネジ孔３３２に対応する位置にネジ３３３用のネジ位置合わせ孔３６２と、が複数形成されている。ダボ３６１は、側板３３の位置合わせ孔３３１に挿入されることで、側板３３とカバー側板３６との位置が合うように構成されている。また、ダボ３６１が位置合わせ孔３３１に挿入されることで、ネジ３３３の締結によりカバー側板３６がともに回転してしまうことが防止される。
カバー側板３６は、側板３３の内側からネジ３３３がネジ孔３３２に挿通されてカバー側板３６の内面のネジ位置合わせ孔３６２に締結されることで、固定される。
【００３１】
図４は、本実施形態の支持部材４とその近傍の構成を示す模式図であり、図２Ｂの仮想線で囲んだ部分を示す。
図２Ｂ及び図４に示すように、支持部材４は、下キャビネット２３の洗濯機６側のキャビネット側面部２３３で、洗面化粧台１の手前側の上端に固定される金具である。支持部材４は、キャビネット側面部２３３から延出してサイドキャビネット３の底部前板３１１の下端部を支持する。支持部材４によりサイドキャビネット３は、洗面台２が設置される床面から浮くように洗面台に装着される。図４に示すように、支持部材４は、一枚の金属の板を折り曲げた部品であり、側面視でＺ型の形状を有する。支持部材４は、第１支持部４１と、第２支持部４２と、締結部４３と、を有する。
【００３２】
第１支持部４１は、長方形の平坦な面であり、底部前板３１１の下端部を支持する。
第２支持部４２は、第１支持部４１から略直角に屈曲して上方に延出する面であり、底部前板３１１の下端部の側面に当接する。
締結部４３は、第１支持部４１における第２支持部４２が延出する縁に対向する縁から下方に向かって延びる面である。締結部４３は、下キャビネット２３のキャビネット側面部２３３にネジにより締結される。
支持部材４は、締結部４３がキャビネット側面部２３３に取り付けられた状態で、締結部４３から第１支持部４１が幅方向の外側に屈曲し、それから第２支持部４２が上方に屈曲して、洗面器２１の側方に向かって延びている。
【００３３】
サイドキャビネット３の取付方法について説明する。
まず、建物の室内の壁面に、洗面器２１、ミラーキャビネット２２及び下キャビネット２３を含む洗面台２を固定して設置する（洗面台設置工程Ｓ１）。
ここで、サイドキャビネット３を取り付けるに当たっては、設置する場所の間取り等により、洗濯機６が配置される側と、洗面台２との間にサイドキャビネット３を配置する。サイドキャビネット３の一対の側板３３それぞれの外側には、何れも位置合わせ孔３３１とネジ孔３３２が形成されているので、洗面化粧台１の手前側に面する側板３３にカバー側板３６をネジ３３３で取り付けるようにすることで、一つのサイドキャビネット３を洗面台２の両側方の何れにも装着することができる。
【００３４】
次に、下キャビネット２３の洗濯機６側のキャビネットの上端側のキャビネット側面部２３３に、支持部材４の締結部４３を締結して取り付ける。
次に、支持部材４の第１支持部４１の上に、サイドキャビネット３の底部前板３１１の下端部を載せ（サイドキャビネット載置工程Ｓ２）、第２支持部４２を底部前板３１１の下端部の側面に当接させる。
【００３５】
サイドキャビネット３を支持部材４の上に載置させた状態で、洗面台２が設置される洗面室内の壁面に、サイドキャビネット３の一対の側板３３のうち奥側の側板３３を、ネジ孔３３２にネジ３３３を挿通させて固定する（サイドキャビネット装着工程Ｓ３）。これにより、洗面台２の側部にサイドキャビネット３を装着する。
収納部３０は、前面の向きを変えるだけで、洗濯機６が洗面台２の幅方向の一方側にある場合も、他方側にある場合にも同じ収納部３０を用いることができる。
【００３６】
本実施形態によれば、以下の効果が奏される。
本実施形態では、サイドキャビネット３を、一対の側板３３を含んで構成し、一対の側板３３の一方が手前側、他方が奥側に配置されるように、洗面台２の側方に装着した。また、サイドキャビネット３を、洗面台２の両側方に装着可能とし、洗面台２側を前面部とし洗面台側の反対側を背面部とした場合に、背面部の少なくとも一部には前面部と背面部との間を貫通する開口部３７を形成した。
洗面化粧台１が洗濯機６と隣接して配置される場合、サイドキャビネット３の向きを変えるだけで、サイドキャビネット３を洗面化粧台１の幅方向の一方側及び他方側の何れにも装着可能に構成した。また、サイドキャビネット３の背面に開口部３７を形成したので、サイドキャビネット３の前面側からも、背面側からも、開口部３７を介してサイドキャビネット３の収納部３０にアクセスすることができ、利便性が高まった。よって、洗面台２とサイドキャビネット３を一つのパターンで製造し、設置場所の間取りに合わせてサイドキャビネット３の配置を変更することができるので、二つのパターンを用意する必要がなくなり、洗面化粧台１の製造工程及び製造管理を簡略化することができる。
【００３７】
本実施形態では、複数の棚板３５を含んで構成し、複数の棚板３５により仕切られて形成される複数の棚部３５０のうち最下部に位置する棚部の背面部に、背板３４を設けた。
複数の棚部３５０のうち最下部に位置する棚部３５０の背面部に、背板３４を設けることで、洗面化粧台１が洗濯機６と隣接して配置される場合であっても、洗濯機６の使用時に水滴等が飛んでサイドキャビネット３の収納部３０内に飛び散ることを防止することができる。
【００３８】
本実施形態では、一対の側板３３に、ネジ３３３が挿通されるネジ孔３３２をそれぞれ形成した。また、一対の側板３３のうち奥側に配置される側板３３を、ネジ孔３３２を介してネジ３３３により、洗面台２が設置される洗面室内の壁面に固定した。サイドキャビネット３の側板３３が壁面にネジ３３３で固定されることで、サイドキャビネット３が壁面側からも支持される。
【００３９】
本実施形態では、サイドキャビネット３を、一対の側板３３のうち手前側に配置される側板３３を覆うように取り付けられるカバー側板３６を含んで構成した。
カバー側板３６を取り付ける前の状態では、一対の側板３３は、どちらを壁面側又は洗面化粧台１の手前側に配置させるように向きを変えることも可能である。そこで、洗面化粧台１を取り付ける場所の間取り等に応じてサイドキャビネット３の向きを決定し、しかる後にカバー側板３６を手前側の側板３３に取り付けることで、サイドキャビネット３の外観が向上する。よって、一つのサイドキャビネット３を用意すればいいので、洗面化粧台１の製造工程及び管理を簡略化することができる。
【００４０】
本実施形態では、カバー側板３６を、ネジ孔３３２に挿通されるネジ３３３により一対の側板３３のうち手前側に配置される側板３３に固定した。
カバー側板３６を、側板３３に形成されるネジ孔３３２にネジ３３３を螺合させて側板３３に取り付けるように構成することで、側板３３を洗面台２が取り付けられる壁面に取り付ける場合と、手前側に配置する場合とで別途の部材を用いる必要がない。このため、サイドキャビネット３を一つのパターンで製造し、設置場所の間取りに合わせてサイドキャビネット３の配置を変更することができるので、上記と同様の効果を奏する。
【００４１】
本実施形態では、サイドキャビネット３を、洗面台２が設置される床面から浮くように装着した。このため、洗面化粧台１が洗濯機６と隣接して配置される場合、洗濯機本体６２の幅よりも洗濯機パン６１の幅の方が広くても、サイドキャビネット３を洗濯機パン６１に干渉させずに、洗面台２を洗濯機６の近くに配置することができ、洗面室内のスペースを有効に活用することができる。
【００４２】
本実施形態では、サイドキャビネット３を備える洗面化粧台１において、洗面台２を、側部に固定され該側部から延出してサイドキャビネット３の下端部を支持する支持部材４を含んで構成した。
サイドキャビネット３が床面から直接支持されていなくても、洗面台２に固定された支持部材４により支持されるので、サイドキャビネット３を安定して設置することができる。支持部材４により、サイドキャビネット３の側板３３を壁面に取り付ける際に、サイドキャビネット３が左右にぐらつくことなく、洗面台２の横に高さ位置を合せることができる。このため、サイドキャビネット３の取付が容易にでき、洗面化粧台１の施工性が向上する。
また、サイドキャビネット３が支持部材４によって支持されることで、使用者がサイドキャビネット３に手をついた場合等、サイドキャビネット３に加えられる水平方向の衝撃荷重に対してより多く耐えることができるようになる。
【００４３】
本実施形態では、洗面化粧台１の施工方法を、洗面台２を設置する洗面台設置工程Ｓ１と、支持部材４上にサイドキャビネット３を載置するサイドキャビネット載置工程Ｓ２と、サイドキャビネット３を支持部材４上に載置した状態で、洗面台２が設置される壁面に、サイドキャビネット３の一対の側板３３のうち奥側に配置される側板３３をネジ３３３で固定することにより、洗面台２の側部にサイドキャビネット３を装着するサイドキャビネット装着工程Ｓ３と、を含んで構成した。
支持部材４によりサイドキャビネット３を支持した状態で、洗面台２が設置される洗面室内の壁面にサイドキャビネット３の側板３３をネジで固定することで、サイドキャビネット３を洗面台２の両側方に装着することができる。これにより、サイドキャビネット３の奥側の側板３３を壁面に固定することが容易になる。よって、一つのサイドキャビネット３を洗面台２の一方側にも他方側にも装着することができ、さらには、製造工程及び管理を簡略化することができる。
【００４４】
以上、本発明の好ましい実施形態について説明したが、本発明は、上述の実施形態に制限されるものではなく、適宜変更が可能である。
例えば、上記実施形態では、図２Ｂに示すように、背板３４は、底板３１から第１棚板３５１の上端まで一枚の板で構成されているが、これに限られない。図２Ａに示すように、サイドキャビネット３の棚部３５０の最下部では、背板３４は第１棚板３５１のやや上まで延出しており、第１棚板３５１に載せた物品の落下防止の柵の役割をする延出部３５１ａを有している。この延出部３５１ａを、底板３１から第１棚板３５１の下端までの背板と別体に構成してヒンジで接続し、必要に応じて起立させて延出させたり、ヒンジ部分で折り畳んで開口部３７を大きくしたりできるように構成してもよい。棚部３５０の最下部の背板３４と延出部３５１ａとを別体で折り曲げ可能に構成することで、洗濯機６側から棚部３５０への出し入れを頻繁にする場合の利便性を向上させることができる。
【００４５】
また、上記実施形態では、開口部３７は、第１棚板３５１と第２棚板３５２の間に設けられているが、開口部３７の位置は、これに限られない。例えば、サイドキャビネット３の背面部側を縦方向に二分割し、高さ方向に並ぶ複数の棚部３５０それぞれの奥側を背板で塞ぎ、手前側に開口部を形成して、背面部の手前側に上下に連続する複数の開口部を設けてもよい。
【００４６】
また、上記実施形態では、棚板３５は３枚配置されているが、枚数や棚板３５の間隔はこれに限られない。使用者の好みに合わせて変更可能に構成してもよい。
【００４７】
また、上記実施形態では、下キャビネット２３のキャビネット側面部２３３に、収納籠２３４を取り付けているが、これに限られない。収納籠２３４の代わりに、キャビネット側面部２３３にタオルバーを取り付けてもよい。
また、キャビネット側面部２３３ではなく、サイドキャビネット３の底板３１にタオルバーを取り付け、サイドキャビネット３の下端部から下垂させるようにタオルバーを取り付けてもよい。タオルバーは、サイドキャビネット３の手前側における底板３１の幅方向の縁又はサイドキャビネット３の洗濯機６側における奥行方向の縁の何れかから下垂させてもよい。
【符号の説明】
【００４８】
１      洗面化粧台
２      洗面台
３      サイドキャビネット
４      支持部材
３３    一対の側板
３４    背板
３５    複数の棚板
３６    カバー側板
３７    開口部
３３２  ネジ孔（貫通孔）
３３３  ネジ（締結具）
３５０  棚部
【図１】
2020036752.tif 000003
【図２Ａ】
2020036752.tif 000004
【図２Ｂ】
2020036752.tif 000005
【図３】
2020036752.tif 000006
【図４】
2020036752.tif 000007